(57)【要約】【課題】事前に連絡先を教え合ったことのない人と連絡を取ることができる、携帯通信機、及びメッセージ送受信システムを提供する。【解決手段】ユーザ０〜３のＩＰアドレス及び位置情報を受信すると、携帯電話機１００Ａと１００Ｃともに、ＩＰアドレス及び位置情報とを対応付けて記憶部１０９に記憶するとともに、表示部１０７にユーザ０〜３の位置を表示する（ステップＳ１０５及び１０６）。ここで、ユーザ０がユーザ２を選択すると（ステップＳ１０７）、続いて、メッセージの作成を行う（ステップＳ１０８）。携帯電話機１００Ａは、記憶部１０９から携帯電話機１００ＣのＩＰアドレスを読み出し、このＩＰアドレスを指定して携帯電話機１００Ｃにメッセージを送信する（ステップＳ１０９）。【選択図】図９
2007166189.tif 000002
【特許請求の範囲】
【請求項１】
複数の携帯通信機の位置情報を受信する受信手段と、
受信した位置情報に基づいて前記複数の携帯通信機それぞれの位置を表示する表示手段と、
表示された前記複数の携帯通信機の中から所望の携帯通信機を選択する操作をユーザから受付ける操作手段と、
ユーザにより選択された前記所望の携帯通信機にメッセージを送信するメッセージ送信手段とを備える
ことを特徴とする携帯通信機。
【請求項２】
前記受信手段は、さらに、前記複数の携帯通信機の識別情報を受信し、
前記メッセージ送信手段は、ユーザより選択された前記所望の携帯通信機の識別情報を送信先に定めることで、当該所望の携帯通信機にメッセージを送信する
ことを特徴とする請求項１記載の携帯通信機。
【請求項３】
前記携帯通信機は、
自機の識別情報を記憶している記憶手段と、
外部の測位システムを利用して自機の位置情報を取得する位置情報取得手段と、
取得した位置情報と自機の識別情報とを近距離通信により、前記複数の携帯通信機が受信可能に送信する近距離通信手段とを備え、
前記表示手段は、さらに、記憶されている位置情報に基づいて自機の位置を表示する
ことを特徴とする請求項１記載の携帯通信機。
【請求項４】
前記操作手段は、さらに、ユーザによる文字の入力操作を受付け、
前記メッセージ送信手段は、前記操作手段が受付けた入力操作により入力された文字をメッセージとして送信することを特徴とする請求項１記載の携帯通信機。
【請求項５】
複数の携帯通信機と、当該複数の携帯通信機の位置情報を管理する位置情報管理装置を含み、前記複数の携帯通信機間でメッセージの送受信を行うメッセージ送受信システムであって、
前記携帯通信機は、
自機の識別情報を記憶している記憶手段と、
外部の測位システムを利用して自機の位置情報を取得する位置情報取得手段と、
取得した位置情報と自機の識別情報とを前記位置情報管理装置に送信する情報送信手段と、
自機以外の前記複数の携帯通信機の識別情報及び位置情報を受信する受信手段と、
受信した位置情報に基づく自機以外の前記複数の携帯通信機それぞれの位置と、取得した自機の位置とを表示する表示手段と、
表示された自機以外の前記複数の携帯通信機の中から所望の携帯通信機を選択する操作をユーザから受付ける操作手段と、
ユーザにより選択された前記所望の携帯通信機の識別情報を送信先に定めて、当該所望の携帯通信機にメッセージを送信するメッセージ送信手段とを備え、
前記位置情報管理装置は、
前記携帯通信機から位置情報及び識別情報を受信する受信手段と、
受信した位置情報と識別情報とを対応付けて記憶する記憶手段と、
記憶されている位置情報と識別情報とを前記複数の携帯通信機に送信する情報送信手段を備える
ことを特徴とするメッセージ送受信システム。
【請求項６】
前記携帯通信機において、前記受信手段は基地局を介して前記位置情報及び識別情報を受信するものであり、
前記位置情報管理装置において、前記情報送信手段は、記憶されている位置情報と識別情報のうち、前記基地局の通信可能な範囲内に位置する携帯通信機に係る位置情報と識別情報とを送信する
ことを特徴とする請求項５記載のメッセージ送受信システム。
【発明の詳細な説明】
【技術分野】
【０００１】
本発明は、複数の携帯通信機間でメッセージの送受信を行うメッセージ送受信システム、及び当該メッセージ送受信システム内で使用される携帯通信機に関する。
【背景技術】
【０００２】
現在、携帯電話機に代表される携帯通信機は、コミュニケーションツールとして定着している。一般的な携帯電話機では、音声による通話や電子メールの送受信を行うことができる（例えば、特許文献１、２を参照）。
【特許文献１】特開２００５−２６０５５５号公報
【特許文献２】特開２００５−２１７８２４号公報
【発明の開示】
【発明が解決しようとする課題】
【０００３】
しかしながら、上述したような通話や電子メールの送受信は、電話番号やメールアドレスを指定して行うため、事前に電話番号やメールアドレスを連絡しあったユーザ間でしか行えない。電子メールに関して言えば、ユーザが他のユーザに電子メールの送信を行うには、当該他のユーザのメールアドレスを知っておかなければならないし、電子メールの受信を行うには送信相手に自分のメールアドレスを教えておかなければならない。
【０００４】
このように、現状では、事前に電話番号やメールアドレス等の連絡先を教え合ったことのない人とは連絡を取ることができない。
そこで、本発明は、事前に連絡先を教え合ったことのない人と連絡を取ることができる携帯通信機、及びメッセージ送受信システムを提供することを目的とする。
【課題を解決するための手段】
【０００５】
上記課題を解決するために、本発明の携帯通信機は、複数の携帯通信機の位置情報を受信する受信手段と、受信した位置情報に基づいて前記複数の携帯通信機それぞれの位置を表示する表示手段と、表示された前記複数の携帯通信機の中から所望の携帯通信機を選択する操作をユーザから受付ける操作手段と、ユーザにより選択された前記所望の携帯通信機にメッセージを送信するメッセージ送信手段とを備えることを特徴とする。
【発明の効果】
【０００６】
以上の構成により、事前に連絡先を知らないユーザに対し、そのユーザの位置を確認してメッセージを送信することができる。例えば、他のユーザの位置をそれぞれ地図上にプロットしたり、ユーザ同士の相対的距離を示したりして、位置の表示を行う。こうすることにより、ユーザ同士の相対的距離を把握することができ、例えば、直接見て確認したユーザの位置とプロットされた地図上の位置とを照らし合わせて確認し、このユーザを選択してメッセージを送ることができる。
【０００７】
また、上記携帯通信機において、前記受信手段は、さらに、前記複数の携帯通信機の識別情報を受信し、前記メッセージ送信手段は、ユーザより選択された前記所望の携帯通信機の識別情報を送信先に定めることで、当該所望の携帯通信機にメッセージを送信することを特徴とする。
この構成により、送られてきた連絡先を指定してメッセージを送信するため、確実に相手にメッセージを到達させることができる。
【０００８】
また、上記携帯通信機は、自機の識別情報を記憶している記憶手段と、外部の測位システムを利用して自機の位置情報を取得する位置情報取得手段と、取得した位置情報と自機の識別情報とを近距離通信により、前記複数の携帯通信機が受信可能に送信する近距離通信手段とを備え、前記表示手段は、さらに、記憶されている位置情報に基づいて自機の位置を表示することを特徴とする。
【０００９】
この構成により、ユーザは、他のユーザの位置と自分の位置とを相対的に把握することができる。このため、例えば、直接見て確認したユーザを容易に選択することができる。また、この構成によれば、携帯通信機同士で位置情報と識別情報とをやり取りするため、当該情報を管理するサーバ等の設備が必要ない。
また、上記携帯通信機において、前記操作手段は、さらに、ユーザによる文字の入力操作を受付け、前記メッセージ送信手段は、前記操作手段が受付けた入力操作により入力された文字をメッセージとして送信することを特徴とする。
【００１０】
この構成により、ユーザが相手に送りたい言葉を文章にして送ることができる。また、文字データは音声データや画像データと比較してデータ量が小さいため、ネットワークに与える処理負担を抑えることができる。
さらに、上記課題を解決するために、本発明のメッセージ送受信システムは、複数の携帯通信機と、当該複数の携帯通信機の位置情報を管理する位置情報管理装置を含み、前記複数の携帯通信機間でメッセージの送受信を行うメッセージ送受信システムであって、前記携帯通信機は、自機の識別情報を記憶している記憶手段と、外部の測位システムを利用して自機の位置情報を取得する位置情報取得手段と、取得した位置情報と自機の識別情報とを前記位置情報管理装置に送信する情報送信手段と、自機以外の前記複数の携帯通信機の識別情報及び位置情報を受信する受信手段と、受信した位置情報に基づく自機以外の前記複数の携帯通信機それぞれの位置と、取得した自機の位置とを表示する表示手段と、表示された自機以外の前記複数の携帯通信機の中から所望の携帯通信機を選択する操作をユーザから受付ける操作手段と、ユーザにより選択された前記所望の携帯通信機の識別情報を送信先に定めて、当該所望の携帯通信機にメッセージを送信するメッセージ送信手段とを備え、前記位置情報管理装置は、前記携帯通信機から位置情報及び識別情報を受信する受信手段と、受信した位置情報と識別情報とを対応付けて記憶する記憶手段と、記憶されている位置情報と識別情報とを前記複数の携帯通信機に送信する情報送信手段を備えることを特徴とする。
【００１１】
以上の構成により、ネットワーク上の位置情報管理装置が位置情報と識別情報の配信を行うことから、当該情報を携帯通信機同士で直接やり取りする必要がない。このため、携帯通信機の処理負担を抑えることができる。
【発明を実施するための最良の形態】
【００１２】
以下本発明の実施形態について、図面を参照しながら説明する。
＜実施形態１＞
（１．構成）
（１−１．システムの構成）
まず、実施形態１に係るメッセージ送受信システムの構成について、図１を参照しながら説明する。
【００１３】
このメッセージ送受信システムでは、携帯通信機の一形態として携帯電話機を使用している。
図１に示すように、メッセージ送受信システムは、複数の携帯電話機１００Ａ〜１００Ｄ、複数のＧＰＳ衛星２００Ａ〜２００Ｂ、移動体通信用の基地局３００、及び基地局３００とネットワークを介して接続されているＤＧＰＳ（Differential GPS）サーバ４００を含んで構成されている。
【００１４】
ＧＰＳ衛星２００Ａ〜２００Ｂは、ＧＰＳ測位を行うために利用される衛星である。通常、ＧＰＳ測位を行うためには４つの衛星から受信した電波を利用するが、本明細書では、便宜的に２つのＧＰＳ衛星のみを図示する。なお、ＧＰＳ衛星２００Ａ〜２００ＢをまとめてＧＰＳ衛星２００と呼ぶ。
基地局３００は、例えば、ＣＤＭＡ（Code Division Multiple Access）方式に準拠した移動体通信網の基地局であり、携帯電話機と無線接続するとともに、一般電話回線網（図示しない）やネットワーク等に接続されている。なお、破点六角形で示す範囲は、基地局３００が管理するセルであり、このセル内で携帯電話機１００が基地局３００と通信を行うことができる。
【００１５】
携帯電話機１００Ａ〜１００Ｄは、例えば、ＣＤＭＡ方式に準拠した携帯電話機
であり、基地局３００と無線通信を行う。なお、携帯電話機１００Ａ〜１００Ｄをまとめて携帯電話機１００と呼ぶ。
ＤＧＰＳサーバ４００は、ＧＰＳ測位を行うためのサーバであり、ネットワークを介して移動体通信網と接続されている。
（１−２．携帯電話機１００の構成）
ここで、携帯電話機１００の詳細な構成について、図２を参照しながら説明する。
【００１６】
図２に示すように、携帯電話機１００は、ＣＤＭＡ通信部１０１、ＣＤＭＡ通信アンテナ１０２、近距離無線通信部１０３、近距離無線通信アンテナ１０４、ＧＰＳ受信部１０５、ＧＰＳ受信アンテナ１０６、表示部１０７、操作部１０８、記憶部１０９、スピーカ１１０、マイクロフォン１１１、及びＣＰＵ（Central Processing Unit）１１２を備えている。
【００１７】
ＣＤＭＡ通信部１０１は、ＣＤＭＡ方式で無線通信を行うための処理を行う機能を有する。具体的には、ＧＰＳ測位に係る時間情報やＩＰアドレスの送受信処理や、操作部１０８を介して入力された文字の送信処理を行うものである。
ＣＤＭＡ通信アンテナ１０２は、ＣＤＭＡ方式で無線通信を行うための搬送波を送受信する機能を有する。
【００１８】
近距離無線通信部１０３は、例えば、無線ＬＡＮ（Local Area Network）方式で無線通信を行うための処理を行う機能を有する。
近距離無線通信アンテナ１０４は、例えば、無線ＬＡＮ方式で無線通信を行うための搬送波を送受信する機能を有する。
ＧＰＳ受信部１０５は、ＧＰＳ測位を行うために、複数のＧＰＳ衛星２００から送られた電波に含まれる電波送信時間の情報に基づき、それぞれの電波を受信するのに要した時間を測定し、その時間を示す時間情報をＣＰＵ１１２に送出する機能を有する。このＧＰＳ測位については、既知のＧＰＳ測位方法を用いればよい。
【００１９】
ＧＰＳ受信アンテナ１０６は、複数のＧＰＳ衛星２００からの電波を受信する機能を有する。
表示部１０７は、ＬＣＤ（Liquid Crystal Display）等の表示装置であり、ＣＰＵ１１２からの入力に応じて携帯電話機１００を使用するにあたって必要となる各種情報を表示する機能を有する。
【００２０】
操作部１０８は、英数字等が印字された押下可能なキー群から成る入力装置であり、ユーザが入力した操作を受付けて、入力信号をＣＰＵ１１２に送出する機能を有する。
記憶部１０９は、ＲＡＭ（Random Access Memory）等の揮発性メモリや、ＲＯＭ（Read Only Memory）等の不揮発性メモリから成る記憶部である。揮発性メモリの記憶領域には、ネットワーク上の識別情報であるＩＰアドレスが記憶される。一方、不揮発性メモリの記憶領域には、携帯電話機１００の電話番号等の固有データが記憶されている。
【００２１】
スピーカ１１０は、放音する機能を有する。
マイクロフォン１１１は、集音する機能を有する。
ＣＰＵ１１２は、携帯電話機１００に備わる上記各構成部１０１〜１１１と接続され、各構成部を制御する機能を有する。
特に、ＣＰＵ１１２は、ＧＰＳ受信部１０５から入力した時間情報や、記憶部１０９に記憶されているＩＰアドレスをＣＤＭＡ通信部１０１又は近距離無線通信部１０３に送出する働きをする。また、操作部１０８から入力した入力信号に基づき、入力された文字を表示するよう表示部１０７に指示する働きをする。
（１−３．ＤＧＰＳサーバ４００の構成）
次に、ＤＧＰＳサーバ４００の詳細な構成について、図３を参照しながら説明する。
【００２２】
図３に示すように、ＤＧＰＳサーバ４００は、ネットワーク通信部４０１、位置情報計算部４０２、記憶部４０３、及びＣＰＵ４０４を備えている。
ネットワーク通信部４０１は、ネットワークを介して移動体通信網や一般電話回線網との間でデータの送受信を行う機能を有する。具体的には、ＧＰＳ測位をされた位置情報やＩＰアドレス等のデータを送出したり、ネットワークから受信した信号を復調してＧＰＳ測位に係る時間情報やＩＰアドレス等のデータを取得したりといったデータ送受信に係る処理を行うものである。
【００２３】
位置情報計算部４０２は、ネットワーク通信部４０１で携帯電話機１００から受信した時間情報及び、記憶部４０３に記憶されているＧＰＳ衛星２００の位置を用いてＧＰＳ測位を行い、携帯電話機１００の位置を算出する。
記憶部４０３は、少なくともＲＡＭ等の揮発性メモリから成る記憶部である。揮発性メモリの記憶領域には、ＧＰＳ測位を行った結果である携帯電話機１００の位置情報や、ネットワーク通信部４０１で受信した携帯電話機１００のＩＰアドレス等がリスト化されて記憶される。また、記憶部４０３は、ＧＰＳ衛星２００それぞれの位置を示す位置情報を記憶しており、さらに、基地局３００のセルの範囲を含むエリアの地図を記憶している。
【００２４】
ＣＰＵ４０４は、ＤＧＰＳサーバ４００に備わる上記各構成部４０１〜４０３と接続され、各構成部を制御する機能を有する。
特に、ＣＰＵ４０４は、ネットワーク通信部４０１で受信した時間情報を位置情報計算部４０２に送出し、記憶部４０３に記憶されている位置情報とＩＰアドレスをネットワーク通信部４０１に送出する働きをする。
（２．データ）
ここで、ＤＧＰＳサーバ４００が記憶部４０３に記憶するリストについて、図４を参照しながら、説明する。
【００２５】
図４に示すように、ＤＧＰＳサーバ４００は、記憶部４０３に、位置情報の算出を行った携帯電話機１００について、各携帯電話機を識別するためのＩＰアドレスと算出した位置情報（緯度及び経度）をリスト化して記憶する。
ＤＧＰＳサーバ４００は、携帯電話機１００からＩＰアドレスとともにＧＰＳ受信部１０５で測定した時間情報を受信するたびに、位置情報計算部４０２での算出結果とＩＰアドレスとを対応付けてリストを更新していく。
（３．動作）
次に、本実施形態のメッセージ送受信システム上における、携帯電話機１００の動作について、図５〜９を参照しながら説明する。
【００２６】
ここでは、ユーザ０〜３が、それぞれ携帯電話機１００Ａ〜１００Ｄを所持しているものとし、ユーザ０がユーザ２にメッセージを送信して話しかける例を挙げて説明する。
図５を参照すると、まず、ユーザ０が携帯電話機１００Ａの操作部１０８から所定の操作を行い、見知らぬユーザ間で位置情報を表示し合うモード（以下、「位置情報表示モード」と呼ぶ）に設定すると、携帯電話機１００Ａはこの操作を受付け、ＧＰＳ受信部１０５で複数のＧＰＳ衛星２００から電波を受信するとともに、受信に要した時間に関する時間情報と記憶部１０９に記憶している自機の識別情報とを含むリクエストをＤＧＰＳサーバ４００に送信する（ステップＳ１０１）。これが、位置情報表示モードの開始通知である。
【００２７】
ＤＧＰＳサーバ４００は、受信した時間情報に基づいて、位置情報計算部４０２により位置を算出し、算出した結果と携帯電話機１００Ａとを対応付けて記憶部４０３内のリストに登録する（ステップＳ１０２）。
ここで、ユーザ２の携帯電話機１００Ｃについても同様に、事前に位置情報表示モードの開始通知をしていたものとする（ステップＳ１００）。その他、携帯電話機１００Ｂ及び１００Ｄについても、特には図示しないが、位置情報表示モードの開始通知を完了しているものとする。
【００２８】
ステップＳ１０２の結果、ＤＧＰＳサーバ４００の記憶部４０３内のリストは更新され、図４に示すように、ユーザ０〜３それぞれのＩＰアドレス及び位置情報（緯度及び経度）が登録された状態となる。
続いて、ＤＧＰＳサーバ４００は、リスト内の、同じ基地局３００に属する全ユーザ（ユーザ０〜３）に対し、全ユーザのＩＰアドレス及び位置情報を送信する（ステップＳ１０３及び１０４）。このとき、記憶部４０３に記憶している地図上に位置をプロットして送信する。
【００２９】
ユーザ０〜３のＩＰアドレス及び位置情報を受信すると、携帯電話機１００Ａと１００Ｃともに、ＩＰアドレス及び位置情報とを対応付けて記憶部１０９に記憶するとともに、地図上にプロットされたユーザ０〜３の位置を表示部１０７に表示する（ステップＳ１０５及び１０６）。このとき、例えば、図６に示すように、自機（ユーザ０）を示すアイコン５００とともに、ユーザ１〜３を示すアイコン５０１〜５０３が表示される。
【００３０】
ここで、ユーザ０がユーザ２にメッセージを送信して話しかけることを決意し、操作部１０８を操作してユーザ２を選択すると（ステップＳ１０７）、図７に示すように、携帯電話機１００Ａは、ユーザ２へメッセージを送信することの確認画面を表示部１０７に表示する。
ユーザ０が図７に示す確認画面から、「はい」６０１を選択すると、携帯電話機１００Ａはメッセージの作成を受付け、ユーザが操作部１０８を介して入力した文字をメッセージとして記憶部１０９に一時的に記憶することで、メッセージの作成を行う（ステップＳ１０８）。ユーザによる文字入力が完了すると、この携帯電話機１００Ａは、図８に示すように、入力されたメッセージを表示部１０７に表示する。
【００３１】
なお、ユーザ０が図８に示す画面から「いいえ」６０２を選択すると、メッセージの作成はキャンセルとなる。
ユーザ０が図７に示す確認画面から「送信」６０３を選択すると、携帯電話機１００Ａは、記憶部１０９から、入力されたメッセージと携帯電話機１００ＣのＩＰアドレスを読み出し、このＩＰアドレスを指定して携帯電話機１００Ｃにメッセージを送信する（ステップＳ１０９）。
【００３２】
このようにステップＳ１０１〜１０９の動作によって、ユーザ０がユーザ２にメッセージを送信して話しかけることができる。携帯電話機１００Ｃ側では、メッセージの送信元のＩＰアドレスから携帯電話機１００Ａからのメッセージであることを認識することができ、携帯電話機１００Ｃは、表示部１０７にその旨を表示する（特に図示しない）。
この後、メッセージに反応したユーザ２がユーザ０にメッセージを返信する場合、ユーザ２は、携帯電話機１００Ｃの操作部１０８を操作してユーザ０を選択し（ステップＳ１１０）、操作部１０８から文字入力を行うことで、返信メッセージを作成する（ステップＳ１１１）。
【００３３】
これにより、携帯電話機１００Ｃは、作成された返信メッセージを、ユーザ０の携帯電話機１００ＡのＩＰアドレスを指定して送信する（ステップＳ１１２）。
このようにステップＳ１１０〜１１２の動作によって、ユーザ２がユーザ０にメッセージを送信して返事をすることができる。携帯電話機１００Ａ側では、メッセージの送信元のＩＰアドレスから携帯電話機１００Ｃからのメッセージであることを認識することができ、携帯電話機１００Ａの表示部１０７には、図９に示すように、その旨が表示される。
【００３４】
その後、ユーザ０の携帯電話機１００Ａ側では、ユーザ０が図９に示す画面から「返信」６０４を選択することで、さらにメッセージをユーザ２に送信することができる。
以上のように、ステップＳ１０１〜１１２の動作を行うことで、ユーザ０とユーザ２との間でメッセージの送受信を行うことができる。
以上、説明してきたように、実施形態１に係る携帯電話機及びメッセージ送受信システムによれば、見知らぬ人等、事前に電話番号やメールアドレス等を交換していないユーザ同士でメッセージの送受信を行うことができるという優れた効果を奏する。
【００３５】
また、ＧＰＳ測位及び、測位結果の位置情報とＩＰアドレスのやり取りをＤＧＰＳサーバ４００が一括して行うため、携帯電話機１００側での処理負担を軽減することができる。
また、ステップＳ１０１において、位置情報表示モードに設定された携帯電話機のみが、位置情報とＩＰアドレスの送受信を行うため、もしユーザに他のユーザと連絡を取ろうとする意思がなく当該モードに設定しなければ、他のユーザの位置を知ることも自機の位置を他のユーザに知らせることもないため、ユーザ自身のプライバシーを確保するとともに、他のユーザのプライバシーも確保することができる。
【００３６】
また、ステップＳ１０３及び１０４において、ＤＧＰＳサーバ４００は、同じ基地局３００に属するユーザの位置情報及びＩＰアドレスしか携帯電話機１００に送信しない。このため、ユーザが実際に見て顔を確認したり会ったりすることが距離的に困難な他のユーザの位置が表示されるようなことがない。これにより、ＤＧＰＳサーバ４００が不必要な位置情報やＩＰアドレスを送らずに済むことから、ＤＧＰＳサーバ４００やネットワークの処理負担が軽減される。
＜実施形態２＞
次に、実施形態２について説明する。
【００３７】
実施形態２は実施形態１と比較して、携帯電話機間の位置情報の送受信方法が異なる。すなわち、実施形態１では、ＤＧＰＳサーバ４００が携帯電話機１００に位置情報を送信していたが、実施形態２では、携帯電話機１００同士が直接位置情報の送受信を行う。
以下、本実施形態について、実施形態１と異なる点に焦点を当てて説明する。
（１．構成）
（１−１．携帯電話機１００の構成）
本実施形態では、携帯電話機１００に備わる近距離無線通信部１０３により、位置情報及びＩＰアドレスの送受信を行う。
【００３８】
具体的には、近距離無線通信部１０３は、ＧＰＳ測位された位置情報やＩＰアドレスの送受信処理を行う。
また、ＣＤＭＡ通信部１０１は、操作部１０８を介して入力された文字の送信処理を行う。
また、記憶部１０９は、近距離無線通信部１０３を介して受信した他機の位置情報及びＩＰアドレスをリスト化して記憶するものである。さらに、基地局３００のセルの範囲を含むエリアの地図を記憶している。
（１−２．ＤＧＰＳサーバ４００の構成）
本実施形態では、記憶部４０３は、ＧＰＳ衛星２００それぞれの位置を示す位置情報を記憶している。
（２．動作）
ここで、本実施形態に係る携帯電話機１００の動作について、図１０を参照しながら説明する。
【００３９】
図１０に示すように、ユーザ０が携帯電話機１００Ａを位置情報表示モードに設定すると、携帯電話機１００Ａは、ＧＰＳ受信部１０５で複数のＧＰＳ衛星２００から電波を受信するとともに、受信に要した時間に関する時間情報を含む問合せをＤＧＰＳサーバ４００に送信する（ステップＳ２０１）。
ＤＧＰＳサーバ４００は、受信した時間情報に基づいて、位置情報計算部４０２より位置を算出し（ステップＳ２０２）、算出した結果を携帯電話機１００Ａに送信する（ステップＳ２０３）。
【００４０】
ここで、ユーザ２の携帯電話機１００Ｃについても同様に、事前に位置情報の問合せを行っていたものとする（ステップＳ２００）。その他、携帯電話機１００Ｂ及び１００Ｄについても、特には図示しないが、位置情報の問合せを完了しているものとする。
自機の位置情報を受信した携帯電話機１００Ａは、当該位置情報を記憶部１０９に記憶するとともに、記憶部１０９内の位置情報及びＩＰアドレスを近距離無線通信部１０３により無線ＬＡＮのアドホックモードで不特定多数の携帯電話機に発信する（ステップＳ２０４）。同様に、携帯電話機１００Ａは、携帯電話機１００Ｃから無線ＬＡＮのアドホックモードで発信される携帯電話機１００Ｃの位置情報及びＩＰアドレスを受信する（ステップＳ２０５）。
【００４１】
ここで、特に図示はしないが、ユーザ０と２ともに、同様にユーザ１の携帯電話機１００Ｂとユーザ３の携帯電話機１００Ｄとからも無線ＬＡＮのアドホックモードで発信される位置情報とＩＰアドレスを受信する。
ＩＰアドレス及び位置情報を受信すると、携帯電話機１００Ａと１００Ｃともに、ＩＰアドレスと位置情報とを対応付けて記憶部１０９に記憶するとともに、表示部１０７に、ユーザ０〜３の位置を記憶部１０９に記憶されている地図上にプロットして表示する（ステップＳ２０６及び２０７）。
【００４２】
その後、実施形態１におけるステップＳ１０７〜Ｓ１１２と同様に、ユーザが操作部１０８の操作を行うことによって、携帯電話機１００Ａと１００Ｃとが相互にメッセージを送受信する（ステップＳ２０８〜Ｓ２１３）。
以上、説明してきたように、実施形態２に係る携帯電話機及びメッセージ送受信システムによれば、携帯電話機１００同士が直接位置情報とＩＰアドレスをやり取りするため、ＤＧＰＳサーバ４００側で複数の携帯電話機のリストを管理しておく必要がない。
【００４３】
また、ステップＳ２０４及びＳ２０５において、位置情報及びＩＰアドレスの送受信を近距離無線通信部１０３で直接やり取りするため、この送受信が成功するのは近距離無線通信部１０３の電波到達範囲に限られる。これにより、自ずと、ユーザからある程度近くにいて、実際に顔を見て確認したり会ったりできる可能性の高い他のユーザのみが、携帯電話機１００に表示される。
＜実施形態３＞
次に、実施形態３について説明する。
【００４４】
実施形態３は実施形態２と比較して、ＧＰＳ測位の方法が異なる。すなわち、実施形態２では、ＤＧＰＳサーバ４００がＧＰＳ測位を行っていたが、実施形態３では、携帯電話機１００自身がＧＰＳ測位を行う。
以下、本実施形態について、実施形態２と異なる点に焦点を当てて説明する。
（１．構成）
（１−１．システムの構成）
本実施形態では、ＧＰＳ測位及び、位置情報とＩＰアドレスの送信を携帯電話機１００自身が直接行うため、システム内にＤＧＰＳ４００が必要ない。このため、図１１に示すように、携帯電話機１００及びＧＰＳ衛星２００、基地局３００から構成される。
（１．携帯電話機１００の構成）
また、本実施形態では、図１２に示すように、携帯電話機１００に位置情報計算部１１３を付加しており、さらに、記憶部１０９は、さらに、ＧＰＳ衛星２００それぞれの位置を示す位置情報を記憶している。
【００４５】
位置情報計算部１１３は、ＧＰＳ受信部１０５が複数のＧＰＳ衛星の電波を受信するのに要した時間に関する時間情報及び、記憶部１０９に記憶されているＧＰＳ衛星２００の位置を用いてＧＰＳ測位を行い、自機１００の位置を算出する。
（２．動作）
ここで、本実施形態に係る携帯電話機１００の動作について、図１３を参照しながら説明する。
【００４６】
図１３に示すように、ユーザ０が携帯電話機１００Ａを位置情報表示モードに設定すると（ステップＳ３０２）、携帯電話機１００Ａは、ＧＰＳ受信部１０５で複数のＧＰＳ衛星２００から電波を受信するとともに、受信に要した時間に関する時間情報に基づいて位置情報計算部１１３により自機の位置を算出する（ステップＳ３０３）。
ここで、ユーザ２の携帯電話機１００Ｃについても同様に、事前に位置情報表示モードに設定し（ステップＳ３００）、自機の位置を算出していたものとする（ステップＳ３０１）。その他、携帯電話機１００Ｂ及び１００Ｄについても、特には図示しないが、位置情報表示モードの設定と位置の算出が完了しているものとする。
【００４７】
自機の位置を算出した携帯電話機１００Ａは、当該位置を示す位置情報を記憶部１０９に記憶するとともに、記憶部１０９内の位置情報及びＩＰアドレスを近距離無線通信部１０３により無線ＬＡＮのアドホックモードで発信し（ステップＳ３０４）、同様に、携帯電話機１００Ｃから無線ＬＡＮのアドホックモードで発信される携帯電話機１００Ｃの位置情報及びＩＰアドレスを受信する（ステップＳ３０５）。
【００４８】
ここで、特に図示はしないが、ユーザ０と２ともに、同様にユーザ１の携帯電話機１００Ｂとユーザ３の携帯電話機１００Ｄとからも無線ＬＡＮのアドホックモードで送信される位置情報とＩＰアドレスを受信する。
ＩＰアドレス及び位置情報を受信すると、携帯電話機１００Ａと１００Ｃともに、ＩＰアドレスと位置情報とを対応付けて記憶部１０９に記憶するとともに、表示部１０７に、ユーザ０〜３の位置を記憶部１０９に記憶されている地図上にプロットして表示する（ステップＳ３０６及び３０７）。
【００４９】
その後、実施形態２におけるステップＳ２０８〜Ｓ２１３と同様に、ユーザが操作部１０８の操作を行うことによって、携帯電話機１００Ａと１００Ｃとが相互にメッセージを送受信する（ステップＳ３０８〜Ｓ３１３）。
以上、説明してきたように、実施形態３に係る携帯電話機及びメッセージ送受信システムによれば、ＧＰＳ測位及び、位置情報とＩＰアドレスのやり取りを全て携帯電話機１００同士で直接行うため、ネットワークインフラ側にＤＧＰＳサーバ４００を設置する必要がない。
＜変形例＞
以上、本発明に係る携帯通信機及びメッセージ送受信システムを、実施形態１〜３に基づいて説明してきたが、この３つの実施形態の構成又は動作に様々な変形を加えることが可能である。
（１）実施形態１〜３においては、位置情報をＧＰＳ測位により算出する例を挙げて説明してきたが、これに限定されず、他の手段を用いて算出してもよい。
【００５０】
例えば、基地局３００を含む複数の基地局の位置を基準とし、携帯電話機１００がこれら複数の基地局からの電波を受信するのに要する時間に基づいて自機の位置を算出することも可能である。各基地局が管理する範囲の狭い「マイクロセル」方式の場合、特に有効である。
（２）実施形態１〜３においては、近距離無線通信部１０３により無線ＬＡＮ方式で位置情報及びＩＰアドレスの発信を行う例を挙げて説明したが、これに限定されず、他の手段を用いて近距離無線通信を行ってもよい。
【００５１】
例えば、固定無線通信の標準規格の一つであるＷｉＭＡＸ（Worldwide Interoperability for Microwave Access）や、家庭向け短距離無線通信規格の一つであるＺｉｇｂｅｅ等、様々な無線方式に対応した無線部を使用して発信することが可能である。
（３）実施形態１〜３においては、携帯電話機１００の識別情報としてＩＰアドレスを用いる例を挙げて説明したが、これに限定されず、例えば、ＭＡＣ（Media Access Control）アドレスを記憶部１０９の不揮発性メモリの記憶領域に記憶しておき、これを用いるようにしてもよい。
【００５２】
さらには、識別情報として携帯電話機１００の電話番号や電子メールアドレスを用いていもよい。こうすることで、いったん電話番号や電子メールアドレスを交換しておき、後からいつでも通話や電子メールの送受信を行うことができる。
（４）実施形態１〜３においては、携帯電話機１００が送受信するメッセージとして、ユーザが操作部１０８を操作して入力した文字によるものを例に挙げて説明したが、これに限定されない。
【００５３】
例えば、ユーザがマイクロフォン１１１を通して入力した音声をＶｏＩＰ（Voice over Internet Protocol）技術により送受してもよい。この場合は、音声を受けたユーザはスピーカ１１０で音声を聞けばよい。
（５）実施形態１〜３では、携帯電話機１００の記憶部１０９又はＤＧＰＳサーバ４００の記憶部４０３が地図を記憶している例を挙げて説明したが、これに限定されるものではなく、携帯電話機１００又はＤＧＰＳサーバ４００が別のサーバ等からネットワークを介してダウンロードして取得するようにしてもよい。
（６）また、実施形態１〜３では、携帯電話機１００の位置を地図上にプロットして表示部１０７に表示する例を挙げて説明したが、これに限定されるものではなく、様々な表示態様が可能である。
【００５４】
例えば、自機携帯電話機１００それぞれの相対的位置を示す文字を表示するようにしてもよい。
【産業上の利用可能性】
【００５５】
本発明に係る携帯通信機、及びメッセージ送受信システムは、携帯通信機を含む移動体通信システムに広く適用することができ、特に、事前に連絡先を教え合ったことのないユーザ同士で連絡を取り合うことができる点で有用な技術である。
【図面の簡単な説明】
【００５６】
【図１】本発明の実施形態１に係るメッセージ送受信システムの構成を示す概略図である。
【図２】本発明の実施形態１に係る携帯電話機１００の構成を示すブロック図である。
【図３】本発明の実施形態１に係るＤＧＰＳサーバ４００の構成を示すブロック図である。
【図４】ＤＧＰＳサーバ４００が記憶しているリストを示す概略図である。
【図５】本発明の実施形態１に係る携帯電話機１００の動作を示すシーケンス図である。
【図６】位置情報を表示するときの画面表示例を示す概略図である。
【図７】メッセージ送信対象を選択するときの画面表示例を示す概略図である。
【図８】メッセージを作成するときの画面表示例を示す概略図である。
【図９】メッセージを受信したときの画面表示例を示す概略図である。
【図１０】本発明の実施形態２に係る携帯電話機１００の動作を示すシーケンス図である。
【図１１】本発明の実施形態３に係るメッセージ送受信システムの構成を示す概略図である。
【図１２】本発明の実施形態３に係る携帯電話機１００の構成を示すブロック図である。
【図１３】本発明の実施形態３に係る携帯電話機１００の動作を示すシーケンス図である。
【符号の説明】
【００５７】
１００        携帯電話機
１０１        ＣＤＭＡ通信部
１０２        ＣＤＭＡ通信アンテナ
１０３        近距離無線通信部
１０４        近距離無線通信アンテナ
１０５        ＧＰＳ通信部
１０６        ＧＰＳ通信アンテナ
１０７        表示部
１０８        操作部
１０９        記憶部
１１０        スピーカ
１１１        マイクロフォン
１１２        ＣＰＵ
１１３        位置情報計算部
２００        ＧＰＳ衛星
３００        基地局
４００        ＤＧＰＳサーバ
４０１        ネットワーク通信部
４０２        位置情報計算部
４０３        記憶部
４０４        ＣＰＵ
【図１】
2007166189.tif 000003
【図２】
2007166189.tif 000004
【図３】
2007166189.tif 000005
【図４】
2007166189.tif 000006
【図５】
2007166189.tif 000007
【図６】
2007166189.tif 000008
【図７】
2007166189.tif 000009
【図８】
2007166189.tif 000010
【図９】
2007166189.tif 000011
【図１０】
2007166189.tif 000012
【図１１】
2007166189.tif 000013
【図１２】
2007166189.tif 000014
【図１３】
2007166189.tif 000015